(57)【要約】【課題】  玉数を増やして軸受剛性の向上を図ることができるとともに低コストな転がり軸受を提供する。【解決手段】  本発明の転がり軸受１０は、少なくとも一方がカウンターボアタイプである内輪１３及び外輪１１と、内輪１３及び外輪１１の両軌道面１２，１４間に配置された玉１５と、玉１５を転動自在に保持する冠型保持器１６と、を備え、冠型保持器１６は、マルテンサイト・オーステナイト系ステンレス鋼からなり、冠型保持器１６は、少なくとも２個の玉１５を収容するポケット１７を有する。【選択図】  図１
2005273799.tif 000002
【特許請求の範囲】
【請求項１】
少なくとも一方がカウンターボアタイプである内輪及び外輪と、前記内輪及び外輪の両軌道面間に配置された玉と、前記玉を転動自在に保持する冠型保持器と、を備えた転がり軸受であって、
前記冠型保持器は、ステンレス鋼からなり、前記冠型保持器は、少なくとも２個の前記玉を収容するポケットを有することを特徴とする転がり軸受。
【請求項２】
前記冠型保持器は、少なくとも２個の前記玉を収容する第１のポケットと、前記第１のポケットに収容される前記玉の数と異なる数の前記玉を収容する第２のポケットと、を交互に備えたことを特徴とする請求項１に記載の転がり軸受。
【請求項３】
前記第２のポケットは、１個の前記玉を収容することを特徴とする請求項２に記載の転がり軸受。
【請求項４】
前記冠型保持器は、前記ポケットを構成する環状部から径方向に延びる折り曲げ部を備え、前記折り曲げ部の先端は、前記カウンターボアタイプに構成された前記内輪の反カウンターボア側外径面より小径であることを特徴とする請求項１〜３のいずれかに記載の転がり軸受。
【請求項５】
前記冠型保持器は、前記ポケットを構成する環状部から径方向に延びる折り曲げ部を備え、前記折り曲げ部の先端は、前記カウンターボアタイプに構成された前記外輪の反カウンターボア側内径面より大径であることを特徴とする請求項１〜３のいずれかに記載の転がり軸受。
【請求項６】
前記冠型保持器は、カウンターボアタイプの少なくとも一方の前記外輪と前記内輪の反カウンターボア側から挿入されたことを特徴とする請求項１〜５のいずれかに記載の転がり軸受。
【請求項７】
請求項１〜６のいずれかに記載の転がり軸受にて構成されたスイングアーム用ピボット軸受装置。
【発明の詳細な説明】
【技術分野】
【０００１】
本発明は、転がり軸受およびスイングアーム用ピボット軸受装置に関する。
【背景技術】
【０００２】
従来、磁気ディスク装置には、高速で微小揺動するスイングアームを支持するために小径の玉軸受が使用されている。例えば、図７に示すようなスイングアーム用ピボット軸受装置１００においては、一対の玉軸受１０１，１０２が軸１０３とハウジング１０４との間に介装されている。一端部に磁気ヘッド（図示せず）が搭載されたスイングアーム１０５はハウジング１０４の周囲に取付けられており、他端部に設けられた駆動装置（図示せず）によって、軸１０３を中心として揺動自在としている。また、このようなスイングアーム用ピボット軸受装置１００に組み込まれる玉軸受１０１，１０２は、軸１０３に外嵌される内輪１０６と、ハウジング１０４に内嵌される外輪１０７と、内輪１０６と外輪１０７の両軌道面間に配置された複数の玉１０８と、各玉１０８を転動自在に収容するポケットを有する冠型保持器１０９とを備えている。また、軸１０３の両端側には、ハウジング１０４の両端面と対向する一対のキャップ部材１１０，１１１が設けられている。
【０００３】
上記のようなスイングアーム用ピボット軸受装置に使用される玉軸受においては、通常、１つのポケットに１個の玉を転動自在に収容可能な樹脂製保持器や、１つのポケットに２個の玉を収容した樹脂製保持器を用いたものが使用されている（例えば、特許文献１参照）。
【０００４】
例えば、特許文献１に記載の樹脂製保持器１２０は、図８に示すように、環状部１２１から軸方向の一方に延びた複数の柱部１２２と、円周方向に隣り合った柱部１２２間に形成されたポケット１２３と、各柱部１２２の先端に形成された爪部１２４とを備えている。ポケット１２３は円周方向に配列された２個のボール１２５を転動自在に収容可能で、収容されたボール１２５間は、環状部１２１から軸方向の一方に延びた仕切り部１２６で仕切られている。
【特許文献１】特開平０７−２０８４８３号公報（第２−３頁、図１）
【発明の開示】
【発明が解決しようとする課題】
【０００５】
ところで、１つのポケットに１個の玉を収容する従来の樹脂製保持器では、各ポケットに爪部を設計する必要があり、玉径・玉数を増加して軸受剛性を向上することは組み立て上限界がある。また、各ポケットに爪部を設ける構成では、保持器を挿入する際に、玉、内外輪、保持器のそれぞれに過大な荷重がかかり、内外輪の軌道面や玉に圧痕がついたり、保持器が変形する可能性があった。
【０００６】
また、カウンターボアを有する転がり軸受では、カウンターボアを有する溝部に係り代を設けてあるのが一般的であるために、挿入できる玉の数に限界があった。さらに、軸受装置の組立時には高周波焼き嵌めが施される為、従来の樹脂製保持器では変形が生じる可能性があった。このため、高温耐久性のあるフェノール材料を用いていたが、フェノール材料を用いた樹脂製保持器は射出成形によって製造することができず、コストを低減することができなかった。
【０００７】
本発明は、上記事情に鑑みてなされたものであって、その目的は、玉数を増やして軸受剛性の向上を図ることができるとともに、低コストな転がり軸受を提供することにある。
【課題を解決するための手段】
【０００８】
本発明の上記目的は、以下の構成により達成される。
（１）  少なくとも一方がカウンターボアタイプである内輪及び外輪と、前記内輪及び外輪の両軌道面間に配置された玉と、前記玉を転動自在に保持する冠型保持器と、を備えた転がり軸受であって、
前記冠型保持器は、ステンレス鋼からなり、前記冠型保持器は、少なくとも２個の前記玉を収容するポケットを有することを特徴とする転がり軸受。
（２）  前記冠型保持器は、少なくとも２個の前記玉を収容する第１のポケットと、前記第１のポケットに収容される前記玉の数と異なる数の前記玉を収容する第２のポケットと、を交互に備えたことを特徴とする（１）に記載の転がり軸受。
（３）  前記第２のポケットは、１個の前記玉を収容することを特徴とする（２）に記載の転がり軸受。
（４）  前記冠型保持器は、前記ポケットを構成する環状部から径方向に延びる折り曲げ部を備え、前記折り曲げ部の先端は、前記カウンターボアタイプに構成された前記内輪の反カウンターボア側外径面より小径であることを特徴とする（１）〜（３）のいずれかに記載の転がり軸受。
（５）  前記冠型保持器は、前記ポケットを構成する環状部から径方向に延びる折り曲げ部を備え、前記折り曲げ部の先端は、前記カウンターボアタイプに構成された前記外輪の反カウンターボア側内径面より大径であることを特徴とする（１）〜（３）のいずれかに記載の転がり軸受。
（６）  前記冠型保持器は、カウンターボアタイプの少なくとも一方の前記外輪と前記内輪の反カウンターボア側から挿入されたことを特徴とする（１）〜（５）のいずれかに記載の転がり軸受。
（７）  （１）〜（６）のいずれかに記載の転がり軸受にて構成されたスイングアーム用ピボット軸受装置。
【発明の効果】
【０００９】
本発明の転がり軸受によれば、冠型保持器が、ステンレス鋼からなるため、フェノール材料等の樹脂製保持器と比べて、軸受装置の組立て時の高周波焼き嵌めによる冠型保持器の変形を大幅に低減することができ、さらに、コストを低減することができる。また、冠型保持器は少なくとも２個の玉を収容するポケットを有するので、爪部を設けた柱部の箇所を減らして玉数を増加することができ、軸受剛性を向上することができる。また、冠型保持器は柱部の箇所を減らし、且つ、弾性のある材料からなるので、保持器の挿入荷重を下げることができ、それによって、内外輪の軌道面や玉に圧痕がつく可能性を低減でき、冠型保持器の変形を防止することができる。
【発明を実施するための最良の形態】
【００１０】
以下、本発明の各実施形態に係る転がり軸受およびスイングアーム用ピボット軸受装置を図面に基づいて詳細に説明する。
【００１１】
（第１実施形態）
図１は本発明の第１実施形態に係る転がり軸受を示す断面図、図２は図１に示す転がり軸受に用いた冠型保持器の斜視図である。
【００１２】
図１に示すように、本発明の第１実施形態に係る転がり軸受１０は、アンギュラ玉軸受であって、図７に示されるようなスイングアーム用ピボット軸受装置１００の玉軸受１０１，１０２として組み込まれる。転がり軸受１０は、内周面に外輪軌道面１２を有する外輪１１と、外周面に内輪軌道面１４を有するカウンターボアタイプである内輪１３と、これら外輪軌道面１２と内輪軌道面１４との間に周方向に転動自在に組み込まれた複数の玉１５と、外輪１１の内周面と内輪１３の外周面との間に配され、玉１５を周方向に転動自在に保持するポケット１７を有する冠型保持器１６と、玉１５に対して軸方向両側に取付けられ、グリース（潤滑剤）を密封するための一対のシール部材１８，１８とを備えている。
【００１３】
カウンターボアタイプの内輪１３は、カウンターボア側に係り代を持たない略ストレートな外周面１９を有する。また、内輪軌道面１４は、略ストレートな外周面１９から徐々に径方向外方に向かう円弧状の凹断面に形成される。さらに、内輪１３の反カウンターボア側には、内輪軌道面１４から軸方向に延びる反カウンターボア側外径面２０が設けられた段部２１が形成されている。なお、反カウンターボア側の形状は、反カウンターボア側外径面２０が内輪１３の軸方向端面まで延びる段部のない形状であってもよい。
【００１４】
冠型保持器１６は、図２に示されるように、マルテンサイト・オーステナイト系ステンレス鋼を素材として成形されている。冠型保持器１６は、環状部２２と、環状部２２から軸方向に伸び、２個の玉１５を収容するポケット１７を周方向に連続的に形成する柱部２３と、ポケット１７の中間部で、２個の玉１５が互いに接触するのを防止する仕切り部２４とを有する。
【００１５】
また、冠型保持器１６は、環状部２２から径方向内方に延びる折り曲げ部２５を有する。折り曲げ部２５の先端は、冠型保持器１６を玉１５に挿着した状態で内輪１３の段部２１によって抜け止めされるように、内輪１３の反カウンターボア側外径面２０よりも小径に設定されている。
【００１６】
上記のように構成された冠型保持器１６の組み込みにおいては、まず、外輪１１の外輪軌道面１２と内輪１３の内輪軌道面１４との間に所定数の玉１５をカウンターボア側から挿入しておく。そして、所定のポケット１７に収容される玉１５の位相を合わせた状態で、冠型保持器１６を内輪１３の反カウンターボア側から挿入し、玉１５を冠型保持器１６のポケット１７内に収容する。このとき、冠型保持器１６の折り曲げ部２５は、内輪１３の反カウンターボア側に形成された段部２１に係り止めされ、外輪１１、内輪１３、玉１５および冠型保持器１６のバレが防止される。
【００１７】
上述したように、本実施形態の転がり軸受１０によれば、冠型保持器１６はステンレス鋼からなるために、フェノール材料等の樹脂製保持器と比べて、スイングアーム用ピボット軸受装置の組立て時の高周波焼き嵌めによる冠型保持器１６の変形を大幅に低減することができる。また、冠型保持器１６は２個の玉１５を収容するポケット１７を有するので、柱部の箇所を減らして玉数を増加することができ、軸受剛性を向上することができる。また、冠型保持器１６は柱部の箇所を減らし、且つ、弾性のある材料からなるので、冠型保持器１６の挿入荷重を下げることができ、それによって、外内輪１１，１３の軌道面１２，１４や玉１５に圧痕がつく可能性を低減でき、冠型保持器１６の変形を防止することができる。
【００１８】
また、本実施形態の転がり軸受１０によれば、冠型保持器１６が、ポケット１７を構成する環状部２２から径方向内方に延びる折り曲げ部２５を備え、折り曲げ部２５の先端が、カウンターボアタイプに構成された内輪１３の反カウンターボア側の内輪外径面２０よりも小径であるために、外内輪１１，１３間にある玉１５に冠型保持器１６を挿着した状態で、冠型保持器１６が内輪１３の反カウンターボア側の段部２１に抜け止めされて、保持器１６のバレを防止することができる。
【００１９】
また、本実施形態の転がり軸受１０によれば、冠型保持器１６が、内輪１３の反カウンターボア側から挿入されるために、軸受空間内にグリース等の潤滑剤を封入し易くすることができる。
【００２０】
また、本実施形態の転がり軸受１０によってスイングアーム用ピボット軸受装置を構成すれば、軸受剛性が高く、品質が安定し、低コストなスイングアーム用ピボット軸受装置を提供することができる。
【００２１】
（第２実施形態）
次に、本発明の第２実施形態に係る転がり軸受およびスイングアーム用ピボット軸受装置について図３を参照して説明する。なお、第２実施形態以下の各実施形態において第１実施形態と同一または同等部分については、同一の符号を付し、説明を省略或いは簡略化する。また、以下の各実施形態においては、冠型保持器についてのみ図を参照して説明する。
【００２２】
図３は、本発明の第２実施形態に係る転がり軸受に用いた冠型保持器の斜視図である。  図３に示すように、第２実施形態の転がり軸受に用いられる冠型保持器３１は、２個の玉１５，１５を収容する第１のポケット３２と、第１のポケット３２に収容される玉１５の数と異なる３個の玉１５，１５，１５を収容する第２のポケット３３とを備えている。  第１のポケット３２と第２のポケット３３は、柱部２３を介して、環状部２２の円周方向に連続して交互に配されている。
【００２３】
本実施形態の転がり軸受によれば、冠型保持器３１が、２個の玉１５，１５を収容する第１のポケット３２と、第１のポケット３２に収容される玉１５の数と異なる３個の玉１５，１５，１５を収容する第２のポケット３３とを交互に備えているために、第１のポケット３２と第２のポケット３３との間にのみ柱部２３が配置されることとなって、柱部２３の数を減らして玉１５の数を増やすことができ、転がり軸受の剛性を向上することができる。
その他の構成および作用については、第１実施形態のものと同様である。
【００２４】
（第３実施形態）
次に、本発明の第３実施形態に係る転がり軸受およびスイングアーム用ピボット軸受装置について図４を参照して説明する。
【００２５】
図４は、本発明の第３実施形態の転がり軸受に用いた冠型保持器の斜視図である。図４に示すように、第３実施形態の転がり軸受に用いられる冠型保持器４１は、２個の玉１５，１５を収容する第１のポケット４２と、第１のポケット４２に収容される玉１５の数と異なる１個の玉１５を収容する第２のポケット４３とを備えている。第１のポケット４２と第２のポケット４３は、柱部２３を介して、環状部２２の円周方向に連続して交互に配されている。
【００２６】
本実施形態の転がり軸受によれば、冠型保持器４１が、２個の玉１５，１５を収容する第１のポケット４２と、第１のポケット４２に収容される玉１５の数と異なる１個の玉１５を収容する第２のポケット４３とを交互に備えているために、第１のポケット４２と第２のポケット４３との間にのみ柱部２３が配置されることとなって、柱部２３の数を減らして玉の数を増やすことができ、転がり軸受の剛性を向上することができる。
その他の構成および作用については、第１実施形態のものと同様である。
【００２７】
（第４実施形態）
次に、本発明の第４実施形態に係る転がり軸受およびスイングアーム用ピボット軸受装置について図５を参照して説明する。
【００２８】
図５は、本発明の第４実施形態の転がり軸受に用いた冠型保持器の斜視図である。図５に示すように、第４実施形態の転がり軸受に用いられる冠型保持器５１は、３個の玉１５，１５，１５を収容するポケット５２を連続的に備えている。各ポケット５２は、柱部２３を介して、円周方向に連続して配されている。
【００２９】
本実施形態の転がり軸受によれば、冠型保持器５１は、３個の玉１５，１５，１５を収容するポケット５２を連続して備えているために、隣接するポケット５２間にのみ柱部２３が配置されることとなって、柱部２３の数を減らして玉の数を増やすことができ、転がり軸受の剛性を向上することができる。
その他の構成および作用については、第１実施形態のものと同様である。
【００３０】
（第５実施形態）
次に、本発明の第５実施形態に係る転がり軸受およびスイングアーム用ピボット軸受装置について図６を参照して説明する。
【００３１】
図６は、本発明の第５実施形態の転がり軸受に用いた冠型保持器の斜視図である。図６に示すように、第５実施形態の転がり軸受に用いられる冠型保持器６１は、３個の玉１５，１５，１５を収容する第１のポケット６２と、第１のポケット６２に収容される玉１５の数と異なる１個の玉１５を収容する第２のポケット６３とを備えている。第１のポケット６２と第２のポケット６３は、柱部２３を介して、環状部２２の円周方向に連続して交互に配されている。
【００３２】
本実施形態の転がり軸受によれば、冠型保持器６１が、３個の玉１５，１５，１５を収容する第１のポケット６２と、第１のポケット６２に収容される玉１５の数と異なる１個の玉１５を収容する第２のポケット６３とを交互に備えているために、第１のポケット６２と第２のポケット６３との間にのみ柱部２３が配置されることとなって、柱部２３の数を減らして玉の数を増やすことができ、転がり軸受の軸受剛性を向上することができる。
その他の構成および作用については、第１実施形態のものと同様である。
【００３３】
なお、本発明は、前述した各実施形態に限定されるものではなく、適宜、変形、改良等が可能である。
例えば、軸受は、アンギュラ玉軸受に限らず、深溝玉軸受等、他の玉軸受であってもよい。
また、外輪がカウンターボアタイプに構成されていても良く、その場合には、環状部から径方向外方に延びる冠型保持器の折り曲げ部を、外輪の反カウンターボア側内径面より大径にするのが好ましい。そうすれば、外輪の外輪内周面における段部よって保持器のバレを防止することができる。
【図面の簡単な説明】
【００３４】
【図１】本発明の第１実施形態に係る転がり軸受を示す断面図である。
【図２】図１に示した転がり軸受に用いた冠型保持器の斜視図である。
【図３】本発明の第２実施形態に係る転がり軸受に用いた冠型保持器の斜視図である。
【図４】本発明の第３実施形態に係る転がり軸受に用いた冠型保持器の斜視図である。
【図５】本発明の第４実施形態に係る転がり軸受に用いた冠型保持器の斜視図である。
【図６】本発明の第５実施形態に係る転がり軸受に用いた冠型保持器の斜視図である。
【図７】従来の転がり軸受が用いられるスイングアーム用ピボット軸受装置の要部断面図である。
【図８】従来の転がり軸受に用いられる保持器の展開正面図である。
【符号の説明】
【００３５】
１０                             転がり軸受
１１                             外輪
１２                             外輪軌道面（軌道面）
１３                             内輪
１４                             内輪軌道面（軌道面）
１５                             玉
１６，３１，４１，５１，６１     冠型保持器
１７，５２                       ポケット
３２，４２，６２   1             第１のポケット（ポケット）
３３，４３，６３                 第２のポケット（ポケット）
２２                             環状部
２５                             折り曲げ部
【図１】
2005273799.tif 000003
【図２】
2005273799.tif 000004
【図３】
2005273799.tif 000005
【図４】
2005273799.tif 000006
【図５】
2005273799.tif 000007
【図６】
2005273799.tif 000008
【図７】
2005273799.tif 000009
【図８】
2005273799.tif 000010